(57)【要約】      （修正有）【課題】チャンネル変更操作の際に複数のチャンネルリストの中から最も適したチャンネルリストを容易かつ自動的に選択できる放送受信装置を提供する。【解決手段】受信エリアごとに、物理チャンネル番号と、リモコンキー識別番号と、系列識別番号とを含むチャンネル情報をリスト化したチャンネルリストを複数登録してあるメモリと、選局動作を行うシステムコントローラと、ＳＩ情報から選局した放送チャンネルのリモコンキー識別番号と系列識別番号とを取得するデマルチプレクサとを備え、システムコントローラは、現在選局中のチャンネル情報の一部が移動前のチャンネルリストのチャンネル情報と一致しない場合は、現在選局中のチャンネル情報の物理チャンネルと系列識別番号が一致するチャンネル情報を有する放送チャンネルを他のチャンネルリストから検索し、一致したチャンネル情報が含まれるチャンネルリストを現在使用中のものに変更する。【選択図】図４
2007300408.tif 000002
【特許請求の範囲】
【請求項１】
１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段と、
前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行う制御手段と、
前記選局した放送チャンネルのデジタル放送波に含まれているＳＩ情報から、この選局した放送チャンネルの前記リモコンキー識別番号と前記系列識別番号とを取得する選局チャンネル情報取得手段とを、
備え、
前記制御手段は、前記選局動作時に、前記選局チャンネル情報取得手段によって取得した前記リモコンキー識別番号、系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して、いずれも一致した場合はそのまま前記選局動作を終了し、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し、この検出されたチャンネル情報を含んでいるチャンネルリストの中に、前記選局に用いたチャンネル情報のうちの系列識別情報と一致する系列識別情報を有するチャンネル情報が存在したら、この一致した系列識別情報を含むチャンネル情報を有する放送チャンネルに選局し直す手段である放送受信装置。
【請求項２】
１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段と、
前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行うとともに、チャンネルリスト変更動作を行う制御手段と、
前記選局した放送チャンネルのデジタル放送波に含まれているＳＩ情報からこの選局した放送チャンネルの前記リモコンキー識別番号と前記系列識別番号とを取得する選局チャンネル情報取得手段とを、
備え、
前記制御手段は、前記選局動作後、前記チャンネルリスト変更動作を開始し、前記選局チャンネル情報取得手段によって取得した前記リモコンキー識別番号、前記系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して、いずれも一致した場合はそのまま前記チャンネルリスト変更動作を終了し、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し、この検出されたチャンネル情報を含んでいるチャンネルリストを、新たな選局用チャンネルリストとして設定し直す手段である放送受信装置。
【請求項３】
１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段と、
前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行うとともに、チャンネルリスト変更動作を行う制御手段と、
前記選局した放送チャンネルのデジタル放送波に含まれているＳＩ情報からこの選局した放送チャンネルの前記リモコンキー識別番号と前記系列識別番号とを取得する選局チャンネル情報取得手段とを、
備え、
前記制御手段は、前記選局動作後、前記チャンネルリスト変更動作を開始し、前記選局チャンネル情報取得手段によって取得した前記リモコンキー識別番号、前記系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して、いずれも一致した場合はそのまま前記チャンネルリスト変更動作を終了し、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し、この検出されたチャンネル情報を含んでいるチャンネルリストを、新たな選局用チャンネルリストとして設定し直すとともに、この設定し直した新たな選局用チャンネルリストの中に、前記選局に用いたチャンネル情報のうちの系列識別情報と一致する系列識別情報を有するチャンネル情報が存在したら、この一致した系列識別情報を含むチャンネル情報を有する放送チャンネルに選局し直す手段である放送受信装置。
【発明の詳細な説明】
【技術分野】
【０００１】
本発明は、テレビジョン受像機、地上波デジタル放送デコーダなどの放送受信装置に関し、特に、受信エリアを移動した際に多数のチャンネルリストの中から容易かつ確実に所望のチャンネルを選局できる放送受信装置に関する。
【背景技術】
【０００２】
従来の地上波デジタル放送受信装置、特に携帯型の受信装置で受信エリアを移動することが可能なものでは、頻繁に見るいくつかのチャンネルリストを登録することを可能としている（例えば、下記の特許文献１参照）。
【０００３】
このチャンネルリストの中から現在の受信エリアのチャンネルリストを簡単に又は自動的に選択できるようにするために、受信装置に、ＧＰＳ（Global Positioning System）により送出される信号に基づいて位置を検出するＧＰＳ受信部と、インターネットなどの通信手段を備えている装置もあるが、これらの装置は高価である。
【０００４】
ＧＰＳ受信部とインターネットなどの通信手段を備えていない安価な受信装置においては、ユーザ自身が受信装置を操作して登録された複数のチャンネルリストの中から現在の受信エリアに適したリストを選択する必要がある。
【０００５】
図１は、従来の放送受信装置の構成を示すブロック図である。図１に示す放送受信機は、地上波放送の放送波を受信するアンテナ１と、アンテナ１により受信された放送信号に対してデジタル復調処置を施す復調部２と、復調部２によってデジタル復調処置が施された信号に対して復号処理を施してトランスポートストリーム（ＴＳ：Transport Stream）を取り出す復号部３と、復号部３により取り出されたトランスポートストリームに多重化されているデジタルデータを抽出して、このデジタルデータの内容に応じた出力を行う抽出手段としてのデマルチプレクサ（以下、ＤＥＭＵＸと称す）４と、ＤＥＭＵＸ４によって抽出されたデジタルデータがそれぞれ入力されて、音声信号、映像信号及びデータ信号をそれぞれ生成する音声デコーダ５、映像デコーダ６及びデータデコーダ７と、トランスポートストリームに含まれるＳＩ（Service Information）情報を保持するメモリ８と、当該受信装置の各部に対する制御を行うシステムコントローラ９と、ユーザからの操作入力がされる操作入力部１０と、システムコントローラ９より送られた情報により操作状況などを画面に表示するＯＳＤ（On Screen Display）１１とを備える。なお、ＳＩ情報は、番組選択の利便性のために規定された番組配列情報で、総務省令で定義され、内容はＡＲＩＢ規格として規定されている。
【０００６】
次に、上記構成に係る放送受信装置の動作について説明する。復調部２は、アンテナ１より受信された放送信号に対して、デジタル復調処理を施す。復号部３は、復調部２でデジタル復調処理が施された信号に対して、デインターリーブ処理や誤り訂正処理などを行うことにより復号し、トランスポートストリームを取り出す。ＤＥＭＵＸ４は、復号部３から出力されたトランスポートストリーム中のＴＳパケットに記述されたＰＩＤ（パケット識別番号）に基づいて各ＴＳパケットを抽出し、各々のＴＳパケットに含まれるデジタルデータが、音声信号に属するものであるか又は映像信号に属するものであるかなどを判別して、各デジタルデータごとに、音声デコーダ５や映像デコーダ７などに出力する。
【０００７】
また、ＤＥＭＵＸ４は、トランスポートストリーム中に含まれるＳＩ情報からリモコンキー識別番号や系列識別番号などの各種情報を抽出しシステムコントローラ９に出力する。ここで、リモコンキー識別番号とは、リモコンに装備されるワンタッチキーに対して、放送局がメインとして放送するサービスを割り付けるための識別番号である。また、系列識別番号とは、その放送局が属する系列のメインのキー局を示す番号である。これは、放送されるサービスに国内ユニークで割り当てられている１６ビットのサービス識別番号の中の所定の４ビットに割り付けられている地域事業者識別情報がこれにあたる。音声デコーダ５、映像デコーダ６及びデータデコーダ７は、それぞれ、ＤＥＭＵＸ４から入力されたデジタルデータに対して復号処理を施すことにより、音声信号、ビデオ信号、データ信号を生成する。
【０００８】
システムコントローラ９は、放送受信装置の各部とバスを介して各種信号のやりとりをすることによって、各部の動作を制御する。ＯＳＤ１１では、システムコントローラ９より送られた情報により操作状況などを画面に表示する。
【０００９】
また、システムコントローラ９は、ＤＥＭＵＸ４から入力されたＳＩ情報に含まれる情報を抽出し、メモリ８に保持する。操作入力部１０は、受信開始命令、受信チャンネルの設定など、本受信装置に対する各種操作がユーザによりされるものである。
【００１０】
次に、メモリ８上に構築されるデータベースについて説明をする。システムコントローラ９は、チャンネルリスト登録手段の機能を有し、視聴しているエリアで全物理チャンネルをサーチしてサーチした物理チャンネルをそのエリアでのチャンネルリストとして図１のメモリ８に追加登録する。
【００１１】
図２は、システムコントローラ９によりメモリ８に登録されるチャンネルリストの例を示す図である。図２に示すように、リストに登録されている各チャンネルの情報は、４ビットのリモコンキー識別番号と、そのリモコンキー識別番号に対応した８ビットの物理チャンネルと、ＳＩ情報から取得した４ビットの系列識別番号などから構成されている。すなわち、メモリ８には、１つのデジタル放送受信エリア内で放送されている放送チャンネルごとの、リモコンキー識別番号と、物理チャンネル番号と、放送チャンネルの属するキー局を示す系列識別番号とを含むチャンネル情報をリスト化したチャンネルリストを、受信エリアごとに複数登録してある。
【００１２】
このチャンネルリストにおいて、受信不可能なリモコンチャンネルの物理チャンネルと系列識別番号は、受信可能チャンネルには存在しない値の０と１５を記録する。図２中のチャンネルリストＡからチャンネルリストＨは、エリアＡからエリアＨで受信可能な、すなわちエリアＡからエリアＨで全物理チャンネルをサーチして登録されたチャンネルリストである。
【００１３】
ユーザは、操作入力部１０の操作で希望のチャンネルを選択して、図３に示すチャンネル変更の流れ図に従い、復調部２で選択された物理チャンネルの設定がシステムコントローラ９によりなされる。すなわち、操作入力部１０の操作によりチューナに物理チャンネル（以下、チャンネルをＣＨとも表記する）を設定し（ステップＳ１）、選択された物理チャンネルの受信状況を判定し（ステップＳ２）、受信が良好（ＧＯＯＤ）ならば、映像信号、音声信号を出力し（ステップＳ３）、他方、受信不良であれば、ＯＳＤ１１に受信不可の表示を設定する（ステップＳ４）。
【００１４】
エリアＡのチャンネルリストＡで、エリアＡで受信している場合には問題ないが、エリアＡのチャンネルリストＡで、エリアＡから別のエリアであるエリアＤに移動して受信している場合には、例えば、本来ユーザが、リモコンキー識別番号７で、物理チャンネル２３、系列識別番号６の選択操作をしているつもりでも、実際には、エリアＤのリモコンキー識別番号６で、物理チャンネル２３、系列識別番号４を受信することになる。これは、系列（識別番号）が異なるので、ユーザの希望と異なる系列局のチャンネルが選択されることになり、問題である。
【００１５】
また、エリアＡのチャンネルリストＡで、エリアＡからエリアＢに移動して受信している場合には、例えば、本来ユーザが、リモコンキー識別番号７で、物理チャンネル２３、系列識別番号６の選択操作をしているつもりでも、実際には、エリアＢに、物理チャンネル２３で受信できるチャンネルは存在しないので、図３に示す流れに従って受信不可の状況であることの画面表示がＯＳＤ１１で行われることになる（ステップＳ４参照）。
【特許文献１】特開２０００−２１７０４２号公報
【発明の開示】
【発明が解決しようとする課題】
【００１６】
このように、エリア移動において、現在の受信エリアと一致しないチャンネルリストを現在チャンネルリストとして使用し続けた場合には、上述のように、ユーザの意図と異なるチャンネルが設定される。したがって、ユーザは、現在の受信エリアと一致するチャンネルリストを手動で操作して変更しないと、希望の系列チャンネルを設定できないことになる。
【００１７】
本発明は上述した点に鑑みてなされたもので、ユーザがチャンネル変更操作をした際に複数のチャンネルリストの中から最も適したチャンネルリストを容易にかつ自動的に選択できる放送受信装置を提供することを目的とする。
【課題を解決するための手段】
【００１８】
上記の目的を達成するために、本発明に係る放送受信装置は、１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段（８）と、前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行う制御手段（９）と、前記選局した放送チャンネルのデジタル放送波に含まれているＳＩ情報からこの選局した放送チャンネルの前記リモコンキー識別番号と前記系列識別番号とを取得する選局チャンネル情報取得手段（４）とを備え、前記制御手段は、前記選局動作時に、前記選局チャンネル情報取得手段によって取得した前記リモコンキー識別番号、系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して（Ｓ１７）、いずれも一致した場合はそのまま前記選局動作を終了し（Ｓ１８）、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し（Ｓ１９、Ｓ２０）、この検出されたチャンネル情報を含んでいるチャンネルリストの中に、前記選局に用いたチャンネル情報のうちの系列識別情報と一致する系列識別情報を有するチャンネル情報が存在したら、この一致した系列識別情報を含むチャンネル情報を有する放送チャンネルに選局し直す（Ｓ２２、Ｓ２３）手段であることを特徴とする。
【００１９】
また、他の発明に係る放送受信装置は、１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段（８）と、前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行うとともに、チャンネルリスト変更動作を行う制御手段（９）と、前記選局した放送チャンネルのデジタル放送波に含まれているＳＩ情報からこの選局した放送チャンネルの前記リモコンキー識別番号と前記系列識別番号とを取得する選局チャンネル情報取得手段（４）とを備え、前記制御手段は、前記選局動作後、前記チャンネルリスト変更動作を開始し、前記選局チャンネル情報取得手段によって取得した前記リモコンキー識別番号、系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して（Ｓ１７）、いずれも一致した場合はそのまま前記チャンネルリスト変更動作を終了し（Ｓ１８）、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し（Ｓ１９、Ｓ２０）、この検出されたチャンネル情報を含んでいるチャンネルリストを、新たな選局用チャンネルリストとして設定し直す（Ｓ２１）手段であることを特徴とする。
【００２０】
さらに、他の発明に係る放送受信装置は、１つのデジタル放送受信エリア内で放送されている放送チャンネルごとの、物理チャンネル番号と、リモコンキー識別番号と、前記放送チャンネルを放送する放送局が属する系列のキー局を示す系列識別番号とを含むチャンネル情報をリスト化した情報であり、前記各放送チャンネルを選局するために用いるチャンネルリストを、受信エリアごとに１つずつ登録してある記憶手段（８）と、前記記憶手段に記憶されている複数のチャンネルリストのうちの１つを選局用チャンネルリストとして設定し、この設定したチャンネルリストに含まれる各チャンネル情報のうちの１つを用いて、この１つのチャンネル情報に対応する放送チャンネルへの選局動作を行うとともに、チャンネルリスト変更動作を行う制御手段（９）と、前記選局した放送チャンネルのデジタル放送波に含まれているＳＩ情報からこの選局した放送チャンネルの前記リモコンキー識別番号と前記系列識別番号とを取得する選局チャンネル情報取得手段（４）とを備え、前記制御手段は、前記選局動作後、前記チャンネルリスト変更動作を開始し、前記選局チャンネル情報取得手段によって取得した前記リモコン識別番号、系列識別番号及び現在選局している放送チャンネルの物理チャンネル番号と、前記選局用チャンネルリストのうちの選局に用いたチャンネル情報のリモコンキー識別番号、前記系列識別番号及び物理チャンネル番号とを比較して（Ｓ１７）、いずれも一致した場合はそのまま前記チャンネルリスト変更動作を終了し（Ｓ１８）、いずれかが一致しなかった場合は、前記記憶手段に記憶してある他のチャンネルリストに含まれる各チャンネル情報を参照して、前記選局チャンネル情報取得手段によって取得した前記系列識別番号と現在選局している放送チャンネルの物理チャンネル番号との各情報が一致するチャンネル情報を検出し（Ｓ１９、Ｓ２０）、この検出されたチャンネル情報を含んでいるチャンネルリストを、新たな選局用チャンネルリストとして設定し直す（Ｓ２１）とともに、この設定し直した新たな選局用チャンネルリストの中に、前記選局に用いたチャンネル情報のうちの系列識別情報と一致する系列識別情報を有するチャンネル情報が存在したら、この一致した系列識別情報を有する放送チャンネルに選局し直す（Ｓ２２、Ｓ２３）手段であることを特徴とする。
【発明の効果】
【００２１】
本発明によれば、ユーザがチャンネル変更操作をした際に登録した複数のチャンネルリストから現在の受信エリアに一致するリストと希望する系列局を自動的に選択できる効果がある。
【発明を実施するための最良の形態】
【００２２】
本発明の実施の形態に係る放送受信装置は、図１に示す従来例の構成と同一構成を備えるとともに、図１に示されるメモリ８には、図２に示すような、従来例と同様の、リモコン識別番号に対応する物理チャンネル及び系列識別番号が設定された複数のエリアＡからエリアＨのチャンネルリストＡからチャンネルリストＨがシステムコントローラ９により登録されている。
【００２３】
システムコントローラ９は、チャンネルリスト登録機能により、従来例と同様に、視聴しているエリアで全物理チャンネルをサーチしてそのエリアでのチャンネルリストをメモリ８に登録する。
【００２４】
すなわち、システムコントローラ９のチャンネルリスト登録機能により、図２に示すように、４ビットのリモコンキー識別番号と、そのリモコンキー識別番号に対応した８ビットの物理チャンネルと、ＳＩ情報から取得した４ビットの系列識別番号などから構成された各チャンネルの情報がチャンネルリストとして登録され、エリアＡからエリアＨごとに備えられる。
【００２５】
このチャンネルリストにおいて、受信不可能なリモコンチャンネルの物理チャンネルと系列識別番号は、受信可能チャンネルには存在しない値の０と１５を記録する。図２中のチャンネルリストＡからチャンネルリストＨは、エリアＡからエリアＨで受信可能、すなわちエリアＡからエリアＨで全物理チャンネルをサーチして登録されたチャンネルリストである。
【００２６】
本発明の実施の形態に係る放送受信装置において、従来例と異なる点は、ユーザが操作入力部１０の操作で希望のチャンネルを選択した際のシステムコントローラ９のチャンネル変更動作とチャンネルリスト設定の動作が異なることである。
【００２７】
図４は、本発明の実施の形態に係る放送受信装置におけるシステムコントローラ９のチャンネル変更動作の流れ図である。システムコントローラ９は、設定されたチャンネルリストと異なるエリアに移動した際にチャンネル変更動作に伴いチャンネルリストの自動設定の動作を行う。
【００２８】
ユーザは、操作入力部１０の操作で希望のチャンネルを選択して、図４に示すチャンネル変更の流れ図に従い、復調部２に選択された物理チャンネルの設定とチャンネルリストの自動変更がシステムコントローラ９によりなされる。
【００２９】
その際、ユーザが選択したチャンネルの受信状況と系列識別番号などの情報を取得して、放送局の系列情報が一致し、かつ受信可能な別のチャンネルリストを検索する。これが存在する場合にはこのチャンネルリストを新たに設定チャンネルリストとして記録する。
【００３０】
以下、図４を参照してチャンネル変更とチャンネルリストの変更の具体例について説明する。なお、図４及びその説明において、チャンネルをＣＨ、系列識別番号を系列ＩＤと表記する。ＣＨ変更動作では、ＣＨ変更済みフラグを０に初期設定しているが（ステップＳ１１）、ＣＨリストと設定チャンネル（受信チャンネル）の自動変更が完了（変更しない場合も含む）したら、このＣＨ変更済みフラグは１に設定されて、ＣＨ変更済みフラグの判定処理を終了してＣＨ変更動作を終了し（ステップＳ１２）、選択されたチャンネルの映像信号、音声信号出力がなされる（ステップＳ１３）。なおステップＳ１２ではＣＨ変更済みフラグが０から１に変更となるが、図４では“０”として示してあり、ステップＳ１２の内容を構成するステップＳ１４以下のステップで以下に説明するように“１”に設定される。
【００３１】
ここで、ＣＨ変更済みフラグが０の状態時に（ステップＳ１２）、操作入力部１０の操作によりチューナに物理ＣＨを設定することで、設定されたＣＨ情報（物理ＣＨ、系列ＩＤ）が記録され（ステップＳ１４）、次に選局された物理ＣＨのストリームから現ＣＨ情報を取得して記録し（ステップＳ１５）、選択された物理ＣＨの受信状況が判定される（ステップＳ１６）。
【００３２】
今、エリアＡのＣＨリストＡで受信していて、例えばリモコンキー識別番号７で、物理チャンネル２３、系列識別番号６を選択した場合には、現ＣＨ情報のすべてが現ＣＨリストＡのＣＨ情報と一致するので（ステップＳ１７）、ＣＨ変更済みフラグ＝１となり（ステップＳ１８）、従来例と同様のＣＨ変更となり、問題ない。なお、ここで、現ＣＨ情報とは、上述した通り現在選局中の物理ＣＨのストリームから取得したＣＨ情報であり、現ＣＨリストとは、現在選局用として設定されているＣＨリストである。
【００３３】
しかし、ＣＨリストにエリアＡとエリアＤのＣＨリストが登録されていて、エリアＡのＣＨリストＡでエリアＡからエリアＤに移動して受信している場合には、例えば、本来ユーザが、リモコンキー識別番号７で、物理チャンネル２３、系列識別番号６の選択操作をしているつもりでも、実際には、エリアＤのリモコンキー識別番号６で、物理チャンネル２３、系列識別番号４を受信することになる。
【００３４】
ここでは、現ＣＨ情報がエリアＡのＣＨリストＡのＣＨ情報と一致しないので（ステップＳ１７で不一致）、現ＣＨの物理ＣＨと系列ＩＤが一致するＣＨを他のＣＨリストから検索することになる（ステップＳ１９）。そして、現ＣＨの物理ＣＨと系列ＩＤが一致するＣＨ情報を有するＣＨリストが存在するか否かを判定し（ステップＳ２０）、一致したＣＨ情報を有するエリアＤのＣＨリストＤを選局に用いるための現ＣＨリストとして設定し直して（ステップＳ２１）、操作入力部によって設定し記録されている設定ＣＨ情報のうちの設定系列ＩＤが一致するＣＨが設定し直した現ＣＨリストにあるか否かを判定し（ステップＳ２２）、一致した系列ＩＤのＣＨ情報を設定ＣＨ情報として変更する（ステップＳ２３）。この場合、リモコンキー識別番号７で、物理チャンネル１４、系列識別番号６が設定ＣＨ情報となり、この情報に従って再選局されるので、ユーザが見たいと思って設定したチャンネルの系列局のチャンネルに自動的に変えられることになる。また、チャンネルリストも現在の受信エリアＤのものと一致するエリアＤのチャンネルリストＤに自動設定される。
【００３５】
なお、ステップＳ２０において、現ＣＨの物理ＣＨと系列ＩＤが一致するＣＨ情報を有するＣＨリストが存在しない場合、または、ステップＳ２２において、設定系列ＩＤが一致するＣＨ情報が現ＣＨリストにない場合には、エリア変更したが同系列のＣＨがなく受信不可であることの表示設定を行い（ステップＳ２４、ステップＳ２６）、ＣＨ変更済みフラグを１に設定し終了する（ステップＳ２５、ステップＳ２７）。
【００３６】
また、ＣＨリストにエリアＡとエリアＢのＣＨリストが登録されていて、エリアＡのリストでエリアＡからエリアＢに移動して受信している場合には、例えば、本来ユーザが、リモコンキー識別番号７で、物理チャンネル２３、系列識別番号６の選択操作をしているつもりでも、実際には、エリアＢに、物理チャンネル２３で受信できるチャンネルは存在しないので、設定系列ＩＤが一致するＣＨを他のＣＨリストから検索することになる（ステップＳ２８）。
【００３７】
この場合には、設定系列ＩＤが一致するＣＨ情報が他のＣＨリストにあるか否かを判定し（ステップＳ２９）、一致した系列ＩＤのＣＨ情報を設定ＣＨ情報に変更する（ステップＳ３０）。この場合、エリアＢのＣＨリストを現在ＣＨリストとして更新して、リモコンキー識別番号７で物理チャンネル１８、系列識別番号６を選択し、ユーザが選択した系列の局のチャンネルに自動変更されチャンネルリストも現在の受信エリアＢのものと一致するエリアＢのチャンネルリストＢに自動設定される。
【００３８】
なお、ステップＳ２９において、設定系列ＩＤと一致するＣＨ情報が他のＣＨリストに存在しない場合には、受信不可であることの表示設定を行い（ステップＳ３１）、ＣＨ変更済みフラグを１に設定し終了する（ステップＳ３２）。
【００３９】
以上のように、本発明の実施の形態によれば、現在選局中のチャンネル情報の少なくとも一部が移動前のチャンネルリストのチャンネル情報と一致しない場合は、現在選局中のチャンネル情報の物理チャンネルと系列識別番号が一致するチャンネル情報を有する放送チャンネルを他のチャンネルリストから検索し、一致したチャンネル情報が含まれるチャンネルリストを現在使用するチャンネルリストに変更し、一致したチャンネル情報を有する放送チャンネルに選局し直すので、受信装置の移動先のチャンネルリストが既に登録されている場合には、ユーザが希望する系列のチャンネルの設定と移動先のチャンネルリストへの変更が自動的に行われる。
【００４０】
また、チャンネル変更操作をした際に登録した複数のチャンネルリストから現在の受信エリアに一致するチャンネルリストと希望する系列局を自動的に選択できる効果がある。
【００４１】
なお、以上説明した実施の形態では、系列識別番号が一致するチャンネルへの自動選局とチャンネルリストの再設定とを同時に行う例を示したが、系列識別番号が一致するチャンネルへの自動選局のみ行っても、チャンネルリストの再設定のみを行ってもよく、この場合でもそれぞれユーザに対して相応の効果を得ることができる。
【００４２】
なお、本発明は、上述した装置の機能をコンピュータに再現させるためのプログラムを含むものである。これらのプログラムは、記録媒体から読み取られてコンピュータに取り込まれてもよいし、通信ネットワークを介して伝送されてコンピュータに取り込まれてもよい。
【図面の簡単な説明】
【００４３】
【図１】本発明及び従来例における放送受信装置の構成を示すブロック図である。
【図２】本発明及び従来例におけるチャンネルリストの例を示す図である。
【図３】従来例に係る放送受信装置におけるシステムコントローラのチャンネル変更動作の流れ図である。
【図４】本発明の実施の形態に係る放送受信装置におけるシステムコントローラのチャンネル変更動作の流れ図である。
【符号の説明】
【００４４】
１  アンテナ
２  復調部
３  復号部
４  デマルチプレクサ（ＤＥＭＵＸ）
５  音声デコーダ
６  映像デコーダ
７  データデコーダ
８  メモリ
９  システムコントローラ
１０  操作入力部
１１  ＯＳＤ（On Screen Display）
【図１】
2007300408.tif 000003
【図２】
2007300408.tif 000004
【図３】
2007300408.tif 000005
【図４】
2007300408.tif 000006